(57)【要約】【課題】組み立て作業が容易なベランダ設置型の鯉のぼりを提供すること。【解決手段】ベランダの床面に鯉のぼりを設置するための鯉のぼりスタンドであって、ベースシャフト４０１と該ベースシャフト４０１の両端に上方向に連設した一対の延長シャフト４０２と該延長シャフト４０２の上端を連通した連通部４０３とを有するホルダー４と、上端部分が前記連通部４０３に固定されるとともに下端部分が前記ベースシャフト４０１に固定された、鯉のぼりのポールの基端部分が嵌挿されるポール支持管３と、前記延長シャフト４０２のそれぞれに回動自在に連結された一対の回動アーム部８０１と該回動アーム部８０１を下端部で連通した連通シャフト８０２を有する支持アーム８と、を具備した本体部２と、前記ベースシャフト４０１に一端部分が着脱自在に連結されるとともに連通シャフト８０２に他端部分が着脱自在に連結されたベース９と、を具備した。【選択図】図１
0003124004.tif 000002
【実用新案登録請求の範囲】
【請求項１】
ベランダの床面に鯉のぼりを設置するための鯉のぼりスタンドであって、
ベースシャフト（４０１）と該ベースシャフト（４０１）の両端に上方向に連設した一対の延長シャフト（４０２）と該延長シャフト（４０２）の上端を連通した連通部（４０３）とを有するホルダー（４）と、上端部分が前記連通部（４０３）に固定されるとともに下端部分が前記ベースシャフト（４０１）に固定された、鯉のぼりのポールの基端部分が嵌挿されるポール支持管（３）と、前記延長シャフト（４０２）のそれぞれに回動自在に連結された一対の回動アーム部（８０１）と該回動アーム部（８０１）を下端部で連通した連通シャフト（８０２）を有する支持アーム（８）と、を具備した本体部（２）と、
前記ベースシャフト（４０１）に一端部分が着脱自在に連結されるとともに連通シャフト（８０２）に他端部分が着脱自在に連結されたベース（９）と、を具備したことを特徴とする鯉のぼりスタンド。
【請求項２】
前記ベース（９）が、ベース本体（９０１）と、このベース本体（９０１）の下面に形成した、前記ベースシャフト（４０１）又は連通シャフト（８０２）が嵌挿する凹部（９０３）と、前記ポール支持管（３）が貫通する貫通孔（９０４）と、を備えたことを特徴とする請求項１に記載の鯉のぼりスタンド。
【請求項３】
前記ポール支持管（３）に、ポール支持管（３）内に挿入した鯉のぼりのポールを固定するためのボルト孔（３０１）を形成したことを特徴とする請求項１又は請求項２に記載の鯉のぼりスタンド。
【考案の詳細な説明】
【技術分野】
【０００１】
本考案は鯉のぼりスタンドに係り、より詳しくは、面倒な作業を経ること無く、ベランダの床面に鯉のぼりを設置可能とした鯉のぼりスタンドに関する。
【背景技術】
【０００２】
一般的に鯉のぼりは、地中に打ち込まれたポールによって掲げられるが、近年の住宅事情等を反映して、マンション等のベランダの手摺りに鯉のぼりを取り付けることが多く見受けられるようになってきている。
【０００３】
しかしながら、最近のマンション等においては、外観等の見栄えを良くする等の理由でベランダに手摺りを設けないことが多くなってきており、このようなベランダにおいては、鯉のぼりを取り付けることが不可能になってしまう。
【０００４】
そのため、このような手摺りの無いベランダにおいても鯉のぼりを設置可能とするため、ベランダの床面に設置可能とした鯉のぼりや掲揚装置が提供されており、このような鯉のぼり等では、手摺りに設置する必要がないため、手摺りを有しないベランダでも鯉のぼりを設置することが可能である。
【特許文献１】特開２００２−１２３２０１号公報
【特許文献２】登録実用新案第３０４９７３２号公報
【特許文献３】実開平６−７５８２号公報
【考案の開示】
【考案が解決しようとする課題】
【０００５】
しかしながら、従来から提供されているベランダ設置型の鯉のぼりでは、また、従来から提供されている手摺りに固定する方式の鯉のぼりでも、これを組み立てるためにはボルト、ビス等を用いる必要があり、即ち、各パーツをボルト、ビス等で連結させて組み立てるために、組み立て作業が大変であり、それにより鯉のぼりの設置が面倒であるという問題点が挙げられる。
【０００６】
そこで、本考案は、組み立て作業が容易であるベランダ設置型の鯉のぼりスタンドを提供することを課題としている。
【課題を解決するための手段】
【０００７】
本考案の鯉のぼりスタンドは、ベランダの床面に鯉のぼりを設置するための鯉のぼりスタンドであって、ベースシャフトと該ベースシャフトの両端に上方向に連設した一対の延長シャフトと該延長シャフトの上端を連通した連通部とを有するホルダーと、上端部分が前記連通部に固定されるとともに下端部分が前記ベースシャフトに固定された、鯉のぼりのポールの基端部分が嵌挿されるポール支持管と、前記延長シャフトのそれぞれに回動自在に連結された一対の回動アーム部と該回動アーム部を下端部で連通した連通シャフトを有する支持アームと、を具備した本体部と、前記ベースシャフトに一端部分が着脱自在に連結されるとともに連通シャフトに他端部分が着脱自在に連結されたベースと、を具備したことを特徴としている。
【考案の効果】
【０００８】
本考案の鯉のぼりスタンドでは、鯉のぼりのポールの基端部分が嵌挿されるポール支持管が固定されたホルダーを有するとともに、このホルダーには支持アームが回動自在に連結され、更に、ホルダーにおけるベースシャフトと支持アームにおける連通シャフト間に着脱自在に配設されるベースを有している。
【０００９】
そのため、ホルダーに対して支持アームを所定角度だけ回動した後に、ベースの一端部をベースシャフトに連結するとともにベースの他端部を支持アームに連結することで、容易に組み立てることができ、この状態でポール支持管に鯉のぼりのポールを嵌挿するのみで、ベランダに鯉のぼりを設置することができる。
【００１０】
従って、従来から提供されているベランダ設置型の鯉のぼりや手摺りに固定する鯉のぼりと異なり、ボルト、ビス等を用いること無く組み立てることができるので、組み立て作業が極めて容易である。
【考案を実施するための最良の形態】
【００１１】
本考案の鯉のぼりスタンドでは、鯉のぼりを支持するための本体部を有しており、この本体部は、鯉のぼりのポールの基端部が嵌挿されるポール支持管と、このポール支持管が固定されたホルダーと、ホルダーに対して回動自在とされた支持アームとで構成されている。
【００１２】
そして、ホルダーは、床面に対して水平状態に維持されるベースシャフトと、このベースシャフトの両端から上方向に連設された延長シャフトを有するとともに、この延長シャフトの上端を連通した板状の連通部とを有しており、連通部にはポール支持管の上部が固定され、ベースシャフトにはポール支持管の下部が固定され、これにより、ホルダーにはポール支持管が固定されている。
【００１３】
また、支持アームは、ホルダーにおける延長シャフトのそれぞれに、ビス等により回動自在に連結された回動アーム部と、この回動アーム部の下端部を連通した連通シャフトを有し、回動アームを所定角度だけ回動することで、床面に対して前記ホルダーを傾斜させることを可能としている。
【００１４】
そして、前記ベースシャフトと連通アームはベースにより連通されており、このベースは、一端部分がベースシャフトに着脱自在に連結されるとともに、他端部分が連通アームに着脱自在に連結されており、これにより、ベースによってベースシャフトと連通アームが連通されるとともに、本体部の傾斜角度が固定されている。
【００１５】
そして、前記ベースは、ベース本体を有するとともに、このベース本体の下面には、前記ベースシャフト又は連通シャフトが嵌挿する支持側凹部が形成されており、更に、ベース本体には、前記ポール支持管が貫通する貫通孔が形成されている。
【００１６】
ここで、前記ポール支持管にボルト孔を形成して、このボルト孔を介して、ポール支持管内に挿入した鯉のぼりのポールをボルト、ビス等により固定可能にするとよく、これにより、鯉のぼりの高さを適宜の高さにすることが可能である。
【実施例１】
【００１７】
本考案の鯉のぼりスタンドの実施例について図面を参照して説明すると、図１は本実施例の鯉のぼりスタンドの実施例を示した斜視図であり、図において１が本実施例の鯉のぼりスタンドである。
【００１８】
そして、本実施例の鯉のぼりスタンド１は、鯉のぼりのポールを支持するための本体部２と、この本体部２を組み付けるためのベース９とで構成されている。
【００１９】
ここで、前記本体部２について説明すると、図２は、前記本体部２の斜視図であり、この本体部２は、鯉のぼりのポールを嵌挿するポール支持管３と、このポール支持管３が固定されたホルダー４と、ホルダー４に回動自在に連結された支持アーム８とで構成されている。
【００２０】
そして、前記ホルダー４は、床面に当接するベースシャフト４０１を有しており、このベースシャフト４０１の両端側には、上方に向けて延長シャフト４０２が連設されている。
【００２１】
また、前記延長シャフト４０２の上端部は、平板状とした連通部４０３により連通されており、これによりホルダー４が構成されている。
【００２２】
そして、前記ポール支持管３は、円筒状のシャフトとしており、その上部は、固定金具５によって前記連通部４０３に固定され、また、その下部は、ビス６によって、前記ベースシャフト４０１に固定されている。
【００２３】
なお、本実施例においては、ベースシャフト４０１と延長シャフト４０２で形成される角度を９０度以下としており、これにより、ホルダー４の輪郭形状を略台形状としている。
【００２４】
また、前記ポール支持管３の上部にはビス孔３０１を形成しており、ポール支持管３内に鯉のぼりのポールを挿入した後に、ボルト孔３０１を介して、ポール支持管内に挿入した鯉のぼりのポールをボルト、ビス等により固定可能にしている。
【００２５】
次に、前記支持アームについて説明すると、図２において、前記支持アーム８は、前記延長シャフト４０２のそれぞれの上方部分に回動自在に連結された回動アーム８０１を有しており、この回動アーム８０１の下端部分は連通シャフト８０２で連通され、この連通シャフト８０２が床面に当接することとしている。
【００２６】
そしてこれにより、前記延長シャフト４０２に対して回動アーム８０１を所定角度だけ回動することで、支持アーム８によって、本体部２を傾斜させた状態で支持可能にしている。
【００２７】
なお、ここで、前記延長シャフト４０２と回動アーム８０１との連結方法について説明すると、本実施例においては、略三角形状のプレート状の連結金具７を用いて、この連結金具７の一辺側を、頂点部分が背面側に突出するようにして延長シャフト４０２の外側に固着し、背面側に突出させた連結金具７の頂点部分に、ビスによって回動アーム８０１を回動自在に連結している。但し、必ずしもこのようにして回動アーム８０１を連結する必要はなく、延長シャフト４０２に対して回動自在に連結されてあれば、いずれの方法で連結してもよい。
【００２８】
また、本実施例においては、前記ホルダー４におけるベースシャフト４０１及び延長シャフト４０２と、支持アーム８はいずれも丸棒状のシャフトを曲げ加工により形成しているが、必ずしもこのように形成する必要もない。
【００２９】
次に、前記ベース９について説明すると、本実施例の鯉のぼりホルダー１では、図１に示されるように、前記ベースシャフト４０１と連通シャフト８０２間にベース９を介在させ、これにより、前記延長シャフト４０２に対する回動アーム８０１の回動角度を固定している。
【００３０】
ここで、前記ベース９について説明すると、図３は前記ベース９の斜視図であり、本実施例における前記ベース９は、平面視野を長方形状としたベース本体９０１を有している。
【００３１】
そして、このベース本体９０１の下面四隅部分には、床面に当接する脚部９０２を突設しており、この脚部９０２にはそれぞれ、前記ベースシャフト４０１又は連通シャフト８０２が嵌挿可能な凹部９０３を形成している。そして、これにより、凹部９０３のそれぞれにベースシャフト４０１及び連通シャフト８０２を嵌挿することで、前記ベースシャフト４０１と連通シャフト８０２をベース９で連通固定して、前記延長シャフト４０２に対する回動アーム８０１の回動角度を固定している。
【００３２】
また、前記ベース本体９０１の一端部中央には、前記ポール支持管３が貫通する貫通孔９０４が形成されており、これにより、前記ベースシャフト４０１を凹部９０３に嵌挿する際にポール支持管３が邪魔になることを防止している。
【００３３】
次に、このように構成される本実施例の鯉のぼりスタンド１の使用方法について説明すると、本実施例の鯉のぼりスタンド１を組み立てる場合には、まず、ホルダー４に対して支持アーム８を所定角度だけ回動させた後に、ポール支持管３で貫通孔９０４を貫通させつつ、貫通孔９０４を形成している側の凹部９０３にベースシャフト４０１を嵌挿するとともに、反対側の凹部９０３に連通シャフト８０２を嵌挿させ、これにより、ベースシャフト４０１と連通シャフト８０２にベース９を取り付ける。
【００３４】
そうすると、ベース９によって、前記ホルダー４と支持アーム８との位置を固定して本体部２を組み付けることができるとともに、このとき、ホルダー４は所定角度だけ傾斜した状態で維持される。
【００３５】
この状態が図１の状態であり、次に、この状態において、図４に示すように、ポール支持管３内に鯉のぼり１０のポール１１を挿入し、適宜、ボルト、ビス等で鯉のぼり１０のポール１１をポール支持管３に固定し、これにより、鯉のぼりを所望する高さにして固定する。
【００３６】
そして、その後に、内部に水を蓄えた水袋１２をベース９の上に載せて風等によって鯉のぼりスタンド１が動かないようにし、これによって、鯉のぼりをベランダの床面等に設置することができる。
【００３７】
一方、本実施例の鯉のぼりスタンド１を分解する場合には、鯉のぼり１０のポール１１をポール支持管３から抜いた状態において、ベース９をベースシャフト４０１及び連通シャフト８０２より取り外し、更に、支持アーム８を、延長シャフト４０２とほぼ平行になるまで回動させる。
【００３８】
そうすると、図５に示すように本体部２を扁平に折り畳むことができ、前記ベース９とともに全体をコンパクトにまとめることが可能である。
【００３９】
このように、本実施例の鯉のぼりスタンド１では、ビス、ボルト等を用いること無く組み立てることができるために、組み立て作業が極めて簡単であるとともに、分解した状態ではコンパクトにすることが可能であるため、鯉のぼりの設置作業が容易であり、また使用後の保管に際しても大きなスペースを占有することがない。
【産業上の利用可能性】
【００４０】
本考案の鯉のぼりスタンドは、組み立て、分解が容易であるとともに保管に際しても大きなスペースを占有することがないため、鯉のぼりに限らず、ポールを用いて掲揚することのある旗等にも適用可能である。
【図面の簡単な説明】
【００４１】
【図１】本考案の鯉のぼりスタンドの実施例の斜視図である。
【図２】本考案の鯉のぼりスタンドの実施例における本体部を説明するための斜視図である。
【図３】本考案の鯉のぼりスタンドの実施例におけるベースを説明するための斜視図である。
【図４】本考案の鯉のぼりスタンドの実施例の使用方法を説明するための図である。
【図５】本考案の鯉のぼりスタンドの実施例における本体部を畳んだ状態を示す図である。
【符号の説明】
【００４２】
１    鯉のぼりスタンド
２    本体部
３    ポール支持管
３０１    ビス孔
４    ホルダー
４０１    ベースシャフト
４０２    延長シャフト
４０３    連通部
５    固定金具
６    ビス
７    連結金具
８    支持アーム
８０１    回動アーム
８０２    連通シャフト
９    ベース
９０１    ベース本体
９０２    脚部
９０３    凹部
９０４    貫通孔
１０    鯉のぼり
１１    ポール
１２    水袋
【図１】
0003124004.tif 000003
【図２】
0003124004.tif 000004
【図３】
0003124004.tif 000005
【図４】
0003124004.tif 000006
【図５】
0003124004.tif 000007